(57)【要約】【課題】  穀物冷蔵庫の部品の組立て工程を簡易化させて製作作業の工数を減らして製品の信頼性及び生産性を大幅に向上させことができ、穀物冷蔵庫の冷却効率を高めて貯留された穀物の冷蔵効果を向上させることができる他、穀物冷蔵庫に結露現象が生じることを防いで貯留された穀物が損傷することを防ぐことのできる穀物冷蔵庫を提供すること。【解決手段】  本発明は、冷却管体と、冷媒を流入及び流出する第１のパイプおよび第２のパイプと、冷却管体の内部の凝結水を排水する第３のパイプとが設けられる支持体の内部を上下に貫通する貫通孔を形成して、貫通孔に第１、第２及び第３のパイプを嵌合し、固定手段を充填して第１、第２及び第３のパイプを簡易に固設することにより、第１、第２及び第３のパイプの配設及び作業工程を単純化させて作業工数を大幅に減らすことができるので、生産性の向上はもとより、生産コストを格段に削減することができる。【選択図】  図２
2019095178.tif 000002
【特許請求の範囲】
【請求項１】
ケースの内側に設けられ、内部に穀物が貯留され、下部に設けられる開閉手段により外部に穀物が引き出されるハウジングと、
前記ハウジングの内側の下部に設けられ、中央に固定棒が上方に向かって長尺状に設けられるブラケットと、
上面が開口された円筒状の内部に空間部が形成され、下面に前記固定棒が挿通される第１の嵌合孔及び前記第１の嵌合孔から離間するように第１の排水孔が形成され、前記ブラケットの上部に設けられる結露防止手段と、
下面が前記結露防止手段の円筒状の上端面により受け止められる円板状に形成されており、前記固定棒が挿通される固定孔及び前記固定孔から隔設される貫通孔が形成される支持板と、
外形が螺旋状に形成されており、下部に冷媒流入口及び冷媒流出口を有し、前記冷媒流入口に第１のパイプが連結され、前記冷媒流出口に第２のパイプが連結され、前記支持板の上部に設けられる蒸発器と、
外部に冷気が発散されるように前記蒸発器が内部に収容され、前記支持板の上部に設けられる下面が開放された円筒状の冷却管体と、
を備え、
前記蒸発器の下部に連結された前記第１のパイプ及び前記第２のパイプが前記支持板の貫通孔及び前記結露防止手段の第１の排水孔を挿通してハウジングの外部に引き出される、穀物冷蔵庫。
【請求項２】
一方の端が前記冷却管体の内部に位置し、他方の端が前記ハウジングの外部に位置するようにして前記冷却管体の内部の凝結水を外部に排出する排水パイプが更に設けられ、前記排水パイプは、前記支持板の貫通孔及び前記結露防止手段の第１の排水孔を挿通して設けられる、請求項１に記載の穀物冷蔵庫。
【請求項３】
前記第１のパイプ、前記第２のパイプ及び前記排水パイプは、両端が開放されたチューブ内に設けられ、前記チューブが前記第１の排水孔を挿通してハウジングの外部に引き出される、請求項２に記載の穀物冷蔵庫。
【請求項４】
前記チューブの内周面と前記チューブの内側に設けられるパイプとの間の空間には合成樹脂が充填されて外部の空気の流入を遮断する、請求項３に記載の穀物冷蔵庫。
【請求項５】
内部に前記チューブが設けられる管体を更に備え、前記チューブと前記管体との間には充填剤が充填される、請求項３又は４に記載の穀物冷蔵庫。
【請求項６】
中心部と外周面との間に凹部が形成され、前記固定棒が挿通されるように中央に第２の嵌合孔が形成され、前記凹部に第２の排水孔が形成され、前記支持板の上面に設けられる受け止め板を更に備え、前記第１のパイプ、第２のパイプ及び排水パイプは前記第２の排水孔を挿通する、請求項４に記載の穀物冷蔵庫。
【発明の詳細な説明】
【技術分野】
【０００１】
本発明は、米や雑穀などを低温で貯留できるようにした穀物冷蔵庫に係り、更に詳しくは、冷蔵庫のハウジングの内部の中央に設けられて穀物を冷蔵保管する蒸発器の冷媒の入出口管及び排水管をハウジングの内部の底面に簡易に設けて設置作業能率を大幅に向上できるようにした穀物冷蔵庫に関する。
【背景技術】
【０００２】
穀物を適当な低温で熟成させ且つ貯留するための穀物冷蔵庫が、本出願人が発明者となっている大韓民国登録特許第１０−０６２０５５０号公報（発明の名称：蒸発器が庫内に設けられる冷蔵庫）（以下、「従来の技術」と称する。）に開示されている。同文献によれば、図１に示すように、従来の技術である穀物冷蔵庫は、ハウジングの内部の中心に貫通孔が形成された隔板２が水平にハウジングに固設され、隔板２の上部には穀物が貯留される穀物貯留部が形成され、貫通孔の直下部の隔壁の上面には隔板２の貫通孔を介して排出される穀物を入れる排出タンクが設けられる。排出タンクは隔壁６の上面に可動状態で置かれ、且つ、隔板２の下部には圧縮器７が設けられる。
【０００３】
また、前記隔板２の中心の上部に蒸発器が設けられ、且つ、内部に蒸発器を収容する冷蔵棒１００が設けられる。隔板２は、中心の貫通孔２１に向かって傾くように形成されて穀物貯留部に貯留された穀物が貫通孔２１を介して下部に排出可能になり、４つの角隅部から水平面状の支持板２２、２３、２４が溶接により設けられ、両角隅部を連結する支持板２２の中心には垂直棒１０１が鉛直上方に溶接され、前記垂直棒１０１の下端及び上端に所定の長さに見合う分だけねじ山が形成される。
【０００４】
更に、前記垂直棒１０１には、中心に貫通孔が形成された冷蔵棒下板１１０が嵌まり込む。このとき、冷蔵棒下板１１０には、中心の貫通孔と外周面との間に円周方向に形成された突出爪１１１が形成されており、垂直棒１０１に冷蔵棒下板１１０が嵌まり込むと、ワッシャー１０４及びナット１０２が嵌合して冷蔵棒下板１１０を垂直棒１０１に係合する。
【０００５】
このとき、冷蔵棒下板１１０の底部は、支持板２２及び支持板２３間の連結部、支持板２２及び支持板２４間の連結部に載置することにより、冷蔵棒下板１１０は強固に固定される。
【０００６】
更にまた、ガイド管１０５が垂直棒１０１に嵌合して冷蔵棒下板１１０の突出爪１１１の内側に設けられ、ガイド管１０５の上部には弾性を有するスポンジ製のスポンジ管１０６が挿設される。ガイド管１０５は、蒸発器１３０がスポンジ管１０６の外周縁に沿って嵌め込まれるときにスポンジ管１０６を固定し且つ支持する。なお、冷蔵棒の下板１１０の突出爪１１１の外側には、円筒状の冷蔵棒円筒部１２０の下部面が外嵌される。スポンジ管１０６の外側には、蒸発器１３０が設けられる。
【０００７】
蒸発器１３０は、上部から下部に向かって直線状に下向きに延びる直線部１３１と、直線部１３１の下端から上部に向かって延びる螺旋部１３２と、を有し、直線部１３１の上端には毛細管１３３が連結されて毛細管１３３から直線部１３１に冷媒が流入する。
【０００８】
前記螺旋部１３２の外側に、且つ、絶縁物質により形成された絶縁管１５０と冷蔵棒外管１２０との間に面状発熱体又はニクロム線などにより形成されたヒーター１６０が設けられて外部から供給される電気により加熱され、前記冷蔵棒円筒部１２０と絶縁管１５０との間には温度感知センサー１７０が設けられて、感知された温度を制御部に出力する。
【０００９】
また、冷蔵棒下板１１０には、冷蔵棒の内部に溜まった水が圧縮器７に流出可能な冷却水ガイド管１８０が設けられ、前記冷蔵棒円筒部１２０の上部面には冷蔵棒上部管１４０が突き合わせられて設けられ、冷蔵棒上部管１４０は、底面が開放され、側面が円筒管からなるが、円筒管の底面は冷蔵棒円筒部１２０の上部面と突き合わせられ、所定の大きさの貫通孔が側部に形成され、上面は曲面状に形成され、中心に垂直棒１０１が貫通可能な貫通孔が形成される。
【００１０】
冷蔵棒上部管１４０の上面の貫通孔に垂直棒１０１を挿通させ、蒸発器１３０の螺旋部１３２の上端部につながる吐出管１３４及び毛細管１３３を側部の貫通孔１４１の外部に排出した後、垂直棒１０１にワッシャー１４２とナット１４３を嵌合させて固定する。
【００１１】
吐出管１３４に連結管を連結した後、誘導管１４４を介してハウジングの外部に引き出し、誘導管１４４を冷蔵棒上部管１４０の貫通孔１４１に嵌合する。
【００１２】
また、冷蔵棒上部管１４０の上面の貫通孔には垂直棒１０１の上端部が突出し、ナット１４３が外側に露出されるため、キャップ１４５を冠着して、これらを隠すことができる。このとき、キャップ１４５は、冷蔵棒上部管１４０に接着剤により貼着される。
【００１３】
このように、従来の技術は、冷蔵棒円筒部１２０を中心として下部面には冷蔵棒下板１１０が設けられ、上部面には冷蔵棒上部管１４０が設けられ、冷蔵棒の内部には蒸発器１３０が設けられる。
【００１４】
更に、従来の技術の冷蔵棒下板１１０には蒸発器１３０を垂直に保持するための垂直棒１０１が設けられ、外部に冷蔵棒下板１１０に蓄積される水を外部に排出するための排出管が設けられ、冷蔵棒上部管１４０には、垂直棒を固定するための固定手段と、蒸発器に連結された開始部（毛細管）及び終端部（吐出管）を引き出すための誘導管１４４が設けられることを余儀なくされるという複雑な構成を有している。
【００１５】
このため、従来の技術は、複雑な構成により組立て過程が複雑であるため組立てに際して熟練された技術が必要であり、その分不良率が高くなり、組立て部品点数が多いため製品の製造コストが高騰してしまうという問題を有していた。
【発明の概要】
【発明が解決しようとする課題】
【００１６】
本発明は上記の事情に鑑みてなされたものであり、その目的は、穀物冷蔵庫の部品の組立て工程を簡易化させて製作作業の工数を減らして製品の信頼性及び生産性を大幅に向上させることのできる穀物冷蔵庫を提供するところにある。
【００１７】
本発明の他の目的は、穀物冷蔵庫の冷却効率を高めて貯留された穀物の冷蔵効果を向上させることのできる穀物冷蔵庫を提供するところにある。
【００１８】
本発明の更に他の目的は、穀物冷蔵庫に結露現象が発生することを防いで貯留された穀物が損傷することを防ぐことのできる穀物冷蔵庫を提供するところにある。
【課題を解決するための手段】
【００１９】
上述した課題を解消するための本発明の手段は、ケースの内側に設けられ、内部に穀物が貯留され、下部に設けられる開閉手段により外部に穀物が引き出されるハウジングと、前記ハウジングの内側の下部に設けられ、中央に固定棒が上方に向かって長尺状に設けられるブラケットと、上面が開口された円筒状の内部に空間部が形成され、下面に前記固定棒が挿通される第１の嵌合孔及び前記第１の嵌合孔から離間するように第１の排水孔が形成され、前記ブラケットの上部に設けられる結露防止手段と、下面が前記結露防止手段の円筒状の上端面により受け止められる円板状に形成され、前記固定棒が挿通される固定孔及び前記固定孔から隔設される貫通孔が形成される支持板と、外形が螺旋状を呈するが、下部に冷媒流入口及び冷媒流出口を有し、前記冷媒流入口に第１のパイプが連結され、前記冷媒流出口に第２のパイプが連結され、前記支持板の上部に設けられる蒸発器と、外部に冷気が発散されるように前記蒸発器が内部に収容され、前記支持板の上部に設けられる下面が開放された円筒状の冷却管体と、を備え、前記蒸発器の下部に連結された前記第１のパイプ及び前記第２のパイプが前記支持板の貫通孔及び前記結露防止手段の第１の排水孔を挿通してハウジングの外部に引き出されるものである。
【００２０】
また、本発明において、一方の端が前記冷却管体の内部に位置し、他方の端が前記ハウジングの外部に位置するようにして前記冷却管体の内部の凝結水を外部に排出する排水パイプが更に設けられ、前記排水パイプは、前記支持板の貫通孔及び前記結露防止手段の第１の排水孔を挿通して設けられることが好ましい。
【００２１】
また、本発明において、前記第１のパイプ、前記第２のパイプ及び前記排水パイプは、両端が開放されたチューブ内に設けられ、前記チューブが前記第１の排水孔を挿通してハウジングの外部に引き出されることが好ましい。
【００２２】
また、本発明において、前記チューブの内周面と前記チューブの内側に設けられるパイプとの間の空間には合成樹脂が充填されて外部の空気の流入を遮断することが好ましい。
【００２３】
また、本発明において、内部に前記チューブが設けられる管体を更に備え、前記チューブと前記管体との間には充填剤が充填されることが好ましい。
【００２４】
また、本発明において、中心部と外周面との間に凹部が形成され、前記固定棒が挿通されるように中央に第２の嵌合孔が形成され、前記凹部に第２の排水孔が形成され、前記支持板の上面に設けられる受け止め板を更に備え、前記第１のパイプ、第２のパイプ及び排水パイプは前記第２の排水孔を挿通することが好ましい。
【発明の効果】
【００２５】
上記の解決手段を有する本発明によれば、冷却管体と、冷却管体の内部に設けられて冷気を発生させる蒸発器に冷媒を流入及び流出する第１のパイプ及び第２のパイプと、凝結水を排水する排水パイプと、が設けられる支持板に上下に貫通する貫通孔を形成し、前記支持板の下面に前記冷却管体の結露を防ぐ結露防止手段を形成し、且つ、前記結露防止手段に前記支持板の貫通孔と連通される第１の排水孔を形成して、前記第１の排水孔に第１のパイプ、第２のパイプ及び排水パイプを一緒に嵌め込んだ状態で固定する固定手段を固設することにより、前記第１のパイプ、第２のパイプ及び排水パイプを前記結露防止手段に簡易に設けることができて製作作業工程を単純化させることができ、前記結露防止手段により冷却管体の結露の発生を防いで貯留される穀物が損傷することを防いで穀物を長期間に亘って貯留することができるという効果を奏する。
【図面の簡単な説明】
【００２６】
【図１】従来の穀物冷蔵庫の分解斜視図。
【図２】本発明の穀物冷蔵庫の分解斜視図。
【図３】本発明の穀物冷蔵庫の要部斜視図。
【図４】本発明の穀物冷蔵庫の組み合わせ状態の縦断面図。
【発明を実施するための形態】
【００２７】
以下、添付図面に基づいて、本発明の実施の形態を詳述する。
【００２８】
図２は、本発明の穀物冷蔵庫の分解斜視図であり、図３は、本発明の穀物冷蔵庫の要部斜視図であり、図４は、本発明の穀物冷蔵庫の組み合わせ状態の縦断面図である。
【００２９】
図２から図４に示すように、穀物冷蔵庫２００は、上部に穀物を貯留するための空間を形成し、下部の開閉手段により貯留された穀物が外部に引き出されるハウジング２１０と、前記ハウジング２１０の内側の下部の中央にブラケット２２１により設けられる固定棒２２０と、前記ブラケット２１１及び固定棒２２０に固設される結露防止手段２３０と、前記結露防止手段２３０の上面に設けられる支持板２４０と、前記支持板２４０に設けられて冷気を発生させる蒸発器２５０と、前記蒸発器２５０の外側に、且つ、前記支持板２４０に設けられて穀物を冷却させる冷却管体２６０と、前記冷却管体２６０の外側に設けられてハウジング２１０の内部に貯留される穀物の接触を防ぐメッシュ網２７０と、前記支持板２４０に前記蒸発器２５０に冷媒を流入及び流出し、凝結水を排水する複数本のパイプが一緒に嵌着される固定手段２８０及び前記ハウジング２１０の前面の下部に設けられて前記ハウジング２１０の内部に貯留された穀物を引き出す穀物引出し受け２９０を備える。
【００３０】
前記ハウジング２１０は、上部が開放され、下部は、下面に向かって円錐状になるように、又は四面が斜設されるように形成され、最下部の中央に貯留された穀物を排出する穀物排出口２１１が形成され、内側には穀物を冷蔵保管する。
【００３１】
前記固定棒２２０は、前記ハウジング２１０の内側の底面の中央に上方に向かって長尺状に固設するが、前記固定棒２２０の下端は、両端が前記ハウジング２１０の内側の下部の両側面に固設される一対の棒と、前記一対の棒を取り囲んで固定する板体と、を有するブラケット２２１に固設される。
【００３２】
このため、前記固定棒２２０は、前記ハウジング２１０の内側の下部の両側面に設けられたブラケット２２１の中央に固設されるため、前記ハウジング２１０の内側の中央に上方に向かって長尺状に設けられる。
【００３３】
前記結露防止手段２３０は、前記ブラケット２２１の上面に前記固定棒２２０により固設されて前記ハウジング２１０の上部と下部との間に空気が流入することを遮断して前記ハウジング２１０の上部に結露が発生することを防ぎ、前記結露防止手段２３０は、上面が開口された円筒状に形成するが、内側の中央に空間部２３１を形成し、前記空間部２３１の下面に中央に前記固定棒２２０が嵌合する第１の嵌合孔２３２を形成し、前記第１の嵌合孔２３２の一方の側に第１の排水孔２３３を形成する。
【００３４】
このため、前記結露防止手段２３０は、上面が開口された円筒状に形成され、円筒状の内部に空間部２３１が形成され、空間部２３１の空気が後述する前記冷却管体２６０又は前記ハウジング２１０の上部と直接的に接触されたり、前記冷却管体２６０又は前記ハウジング２１０の上部に流入したりすることを遮断するので、前記ハウジング２１０の上部に下部との温度差により結露が発生することを防ぐことができる。
【００３５】
前記支持板２４０は、下面が前記固定棒２２０に嵌入した結露防止手段２３０の円筒部の上端面に受け止められ、前記固定棒２２０により係合設置され、前記支持板２４０は、円筒体の形状又は厚さを有する円板状に形成されるが、上面の中央に前記固定棒２２０が貫設される固定孔２４１と、前記固定孔２４１の外側に前記固定孔２４１から隔設されて水分を排出する貫通孔２４２及び前記貫通孔２４２の外側の周縁部に後述する冷却管体２６０が設けられる取付面２４３と、を形成する。
【００３６】
このため、前記支持板２４０は、前記結露防止手段２３０の上面に中央の上部に向かって長尺状に固設された固定棒２２０に嵌合するものであり、前記結露防止手段２３０に固定棒２２０により固設する。
【００３７】
また、前記支持板２４０は、上面に凝結水を凝集して排水する受け止め板２４４を備える。
【００３８】
前記受け止め板２４４は、図３に示すように、中心部と外周面との間に凹部が形成され、中央に前記固定棒２２０が挿通される第２の嵌合孔２４５が形成され、且つ、前記第２の嵌合孔２４５の外側に且つ凹部に第２の排水孔２４６が形成される。受け止め板２４４に凝結水が形成される場合、凹部に凝結水が集められ、凝結水は、第２の排水孔２４６に設けられる後述する排水パイプにより外部に流出される。
【００３９】
更に、前記受け止め板２４４は、第２の嵌合孔２４５を介して前記固定棒２２０に嵌合して前記支持板２４０の上面に載置されるため、前記受け止め板２４４は、前記支持板２４０に離脱なしに設けられ、凝結水を凝集して排水する。
【００４０】
前記蒸発器２５０は、外形が螺旋状に形成され、下部に冷媒が流入する冷媒流入口と、流入した冷媒を循環させて流出する冷媒流出口と、を備える。
【００４１】
前記蒸発器２５０の中央の下端には冷媒流入口が位置し、冷媒流入口から毛細管が垂直に上昇し、毛細管の上端部から冷却管が螺旋状に下降して螺旋管を形成し、螺旋管の下端部に冷媒流出口が形成される。
【００４２】
また、冷媒流入口は、圧縮器（図示せず）において圧縮された高圧低温の冷媒を流入させる第１のパイプ２５１に連結され、冷媒流出口は、前記圧縮器に低圧低温の冷媒を流出する第２のパイプ２５２と係合される。
【００４３】
前記蒸発器２５０の上下端のそれぞれには一対の支持脚２５３が配備されるが、前記一対の支持脚２５３は、中央が前記固定棒２２０に嵌着され、周縁部が前記蒸発器２５０の外側面を取り囲んで支持するように配備される。
【００４４】
このため、前記蒸発器２５０は、冷媒流入口に第１のパイプ２５１が連結され、冷媒流出口に第２のパイプ２５２が係合され、前記蒸発器２５０の上下端は中央が固定棒２２０に嵌入する一対の支持脚２５３で取り囲んで、前記蒸発器２５０は固定棒２２０に離脱なしに固定され、前記第１のパイプ２５１に流入する冷媒を第２のパイプ２５２に循環させて周りとの熱交換により冷気を発生させて周りを冷却させる。
【００４５】
前記冷却管体２６０は、上面が閉鎖され、下面が開放された円筒状に前記蒸発器２５０の外側に設けるが、前記ハウジング２１０に内設して蒸発器の外部に冷気を発散させてハウジング内の穀物を冷却させる。
【００４６】
前記冷却管体２６０の上端は、前記ハウジング２１０の内側の中央に上方に向かって長尺状に設けられた固定棒２２０に挿設し、下端は、前記支持板２４０の上面の周縁部に前記蒸発器２５０を取り囲むように設ける。
【００４７】
前記冷却管体２６０は、通気性を有する黄土、炭などの遠赤外線発生材質により形成するが、内部面には外部からの湿気の流入を遮断する釉薬処理が施されることが好ましい。
【００４８】
このため、前記冷却管体２６０は、湿気が蓄積可能な材質により形成されるが、内部面に湿気を遮断する釉薬処理が施されて内部から外部に向かって湿気が発散されないようにする。また、冷却管体２６０は支持板２５０の取付面２４３に設けるため、前記冷却管体２６０は、内側に位置する前記蒸発器２５０の冷気は排出し、ハウジング２１０の内部の湿気は吸収する。更に、冷却管体２６０は、ハウジング２１０の内部を冷却させるが、下部に位置する結露防止手段２３０の空間部２３１及び後述する第１の排水孔２３３に設けられる固定手段２８０により直接的な外気の流入や接触を遮断することにより、内部温度の変化に起因する温度差により前記冷却管体２６０の内側に結露が発生することを防ぎながら、前記ハウジング２１０の内部を冷却させて穀物を貯留する。
【００４９】
前記メッシュ網２７０は、前記冷却管体２６０の外側に設けるが、前記冷却管体２６０と同じ形状である円筒状に設け、上端は、ハウジング２１０の内側に穀物を投入するとき、内側に投入される穀物が前記冷却管体２６０に流入することを遮断するカバー２７１を形成し、下端は、前記固定棒２２０のブラケット２２１に取設する。
【００５０】
このため、前記メッシュ網２７０は冷却管体２６０の外側に設けられるため、前記冷却管体２６０に投入される穀物又は前記冷却管体２６０に投入された穀物が冷却管体２６０と接触することを防いで、前記穀物が凍結又は冷害により損傷を受けることを防ぐ。
【００５１】
前記固定手段２８０は、前記結露防止手段２３０の第１の排水孔２３３に嵌設される。
【００５２】
また、固定手段２８０は、チューブ（図示せず）を備え、チューブは、内側に前記蒸発器２５０の冷媒流入口及び冷媒流出口にそれぞれ係合される第１のパイプ２５１及び第２のパイプ２５２と、凝結水を排水する排水パイプ２８１と、が設けられる。
【００５３】
すなわち、チューブは、両端が開口されて内部に第１のパイプ２５１と、第２のパイプ２５２及び排水パイプ２８１が設けられる。
【００５４】
このとき、チューブの内周面とこれらのパイプ２５１、２５２、２８１との間には空間が形成され、このような空間を介して外部の空気が冷却管体２６０の内部に流入してしまうという問題が発生する。
【００５５】
このような問題を解消するために、本発明の穀物冷蔵庫２００は、固定手段２８０のチューブの内部に第１のパイプ２５１と、第２のパイプ２５２及び排水パイプ２８１が設けられれば、内部の空間に合成樹脂を充填した後に硬化させることにより、外部の空気が冷却管体２６０に流入する経路を遮断している。
【００５６】
このとき、合成樹脂としては、公知の多種多様な合成樹脂が採用可能であるが、合成樹脂は、ウレタン樹脂又はシリコンであることが好ましい。
【００５７】
このような前記固定手段２８０としてのチューブには、圧縮器から前記蒸発器２５０の冷媒流入口及び冷媒流出口に冷媒を流入及び流出する第１のパイプ２５１及び第２のパイプ２５２と、前記蒸発器２５０の凝結水を排水する排水パイプ２８１と、を一緒に嵌合するが、ここで、前記第１のパイプ２５１と、第２のパイプ２５２及び排水パイプ２８１のうち、前記第１のパイプ２５１及び第２のパイプ２５２は、前記蒸発器２５０に既に係合した状態で挿通されるか、又はチューブに嵌合した状態で前記蒸発器２５０に係合する。
【００５８】
このため、前記蒸発器２５０に係合する前記第１のパイプ２５１と、第２のパイプ２５２及び排水パイプ２８１は、固定手段２８０により嵌合するものであり、前記結露防止手段２３０の第１の排水孔２３３に煩雑さ及び複雑さを要することなく簡易に固設することができるだけではなく、前記固定手段２８０により第１のパイプ２５１及び第２のパイプ２５２は作動の際に緩衝されて振動騒音を低減させる。
【００５９】
このとき、固定手段２８０の第１のパイプ２５１と、第２のパイプ２５２及び排水パイプ２５３の外側にはチューブがこれらを取り囲むように設けられるが、結露防止手段の第１の排水孔２３３に嵌合するときに外部の摩擦によりチューブが引きちぎられたり摩耗されたりするという問題が発生する。
【００６０】
したがって、本発明においては、固定手段２８０のチューブの外側に管体２８２を設けることにより、第１の排水孔２３３への嵌合又は第１の排水孔２３３からの抜脱の際にチューブが引きちぎられたり摩耗されたりするという問題を解消している。
【００６１】
また、前記管体２８２の内側面と前記固定手段２８０の外側面との間には湿気を遮断する充填剤（シリコン）を充填する。
【００６２】
このため、前記管体２８２は、前記第１のパイプ２５１及び第２のパイプ２５２の駆動に起因する温度差により前記固定手段２８０において発生する湿気が外部に流出されることを防いで貯留された穀物が冷害又は損傷を受けることを防ぐ。
【００６３】
一方、前記ハウジング２１０の最下部の中央に形成された前記穀物排出口２１１の底面には、前記ハウジング２１０の内側に貯留された穀物を入れて引き出す穀物引出し受け２９０が配備される。
【００６４】
前記穀物引出し受け２９０は、上面に前記穀物排出口２１１と連通される排出孔２９１を形成し、下面に、前後方が開放された棚２９２と、前記棚２９２の内側に外部からの押圧作動により前後進作動するように、且つ、前記排出孔２９１を開閉するように形成されて前記ハウジング２１０に貯留されている穀物を引き出して入れて下方に排出する引き出し２９３と、が配備される。
【００６５】
このため、前記穀物引出し受け２９０は、ハウジング２１０の内部に貯留された穀物を排出孔２９１及び引き出し２９３の押圧作動により所望の分だけ引き出すことができる。
【００６６】
このように、前記穀物冷蔵庫２００は、ハウジング２１０に設けられた固定棒２２０に結露防止手段２３０と、支持板２４０と、蒸発器２５０及び冷却管体２６０を固設するが、前記蒸発器２５０と係合する第１のパイプ２５１と、第２のパイプ２５２及び排水パイプ２８１を一緒に固定手段２８０に嵌入して結露防止手段２３０に設けることにより、前記第１のパイプ２５１と、第２のパイプ２５２及び排水パイプ２８１を前記結露防止手段２３０に一々に嵌設又は嵌合しなければならないという煩雑さなしに簡易に固設することができるので、配設製作の作業工数を大幅に減らして生産性を向上させることができるとともに、前記結露防止手段２３０により前記冷却管体２６０に結露が発生することを防いで前記冷却管体の結露に起因する貯留穀物の損傷や冷害を防ぎながら穀物を貯留することができる。
【符号の説明】
【００６７】
２００  穀物冷蔵庫
２１０  ハウジング
２１１  穀物排出口
２２０  固定棒
２２１  ブラケット
２３０  結露防止手段
２３１  空間部
２３２  第１の嵌合孔
２３３  第１の排水孔
２４０  支持板
２４１  固定孔
２４２  貫通孔
２４３  取付面
２４４  受け止め板
２４５  第２の嵌合孔
２４６  第２の排水孔
２５０  蒸発器
２５１  第１のパイプ
２５２  第２のパイプ
２５３  支持脚
２６０  冷却管体
２７０  メッシュ網
２７１  カバー
２８０  固定手段
２８１  排水パイプ
２８２  管体
２９０  穀物引出し受け
２９１  排出孔
２９２  棚
２９３  引き出し
【図１】
2019095178.tif 000003
【図２】
2019095178.tif 000004
【図３】
2019095178.tif 000005
【図４】
2019095178.tif 000006